(57)【要約】      （修正有）【課題】ユーザ装置からの参照信号の送信に用いられる無線リソースに関連付けられた複数の参照信号リソース識別子をフィードバックとして送信することによって、空間多重利得及びビームダイバーシチ利得のいずれかを実現する方法を提供する。【解決手段】ユーザ装置（ＵＥ）は、それぞれ異なる無線リソースを用いて基地局（ＢＳ）から送信された複数の参照信号（ＲＳ）を受信する受信部と、ＲＳ送信に用いられる無線リソースに関連付けられたＲＳリソース識別子（ＲＲＩ）の中から複数のＲＲＩを選択するプロセッサと、複数のＲＲＩをＢＳに送信する送信部と、を有する。プロセッサは、ＲＳを用いて各ＲＲＩのチャネル状態情報（ＣＳＩ）を導出する。送信部は、複数のＲＲＩに対応するＣＳＩと、複数のＲＲＩの一部に対応するＣＳＩと、選択されたＲＲＩの数を示すＲＲＩランクとを、ＢＳに送信する。【選択図】図４
2020127221.tif 000002
【特許請求の範囲】
【請求項１】
それぞれ異なる無線リソースを用いて基地局（ＢＳ）から送信された複数の参照信号（ＲＳ）を受信する受信部と、
ＲＳ送信に用いられる無線リソースに関連付けられたＲＳリソース識別子（ＲＲＩ）の中から複数のＲＲＩを選択するプロセッサと、
前記複数のＲＲＩを前記ＢＳに送信する送信部と、を有することを特徴とするユーザ装置（ＵＥ）。
【請求項２】
前記プロセッサは、前記ＲＳを用いて前記ＲＲＩのそれぞれにおいてチャネル状態情報（ＣＳＩ）を導出し、
前記送信部は、前記選択された複数のＲＲＩに対応する前記ＣＳＩを前記ＢＳに送信することを特徴とする請求項１に記載のＵＥ。
【請求項３】
前記送信部は、前記選択された複数のＲＲＩの一部に対応する前記ＣＳＩを送信することを特徴とする請求項２に記載のＵＥ。
【請求項４】
前記選択された複数のＲＲＩの一部は１つであることを特徴とする請求項３に記載のＵＥ。
【請求項５】
前記送信部は、前記選択された複数のＲＲＩのすべてに対応する単一のＣＳＩを送信することを特徴とする請求項２に記載のＵＥ。
【請求項６】
前記送信部は、前記選択されたＲＲＩの数を示すＲＲＩランクを送信することを特徴とする請求項１に記載のＵＥ。
【請求項７】
前記受信部は、前記選択されたＲＲＩの数を示すＲＲＩランクを指定する情報を前記ＢＳから受信し、
前記プロセッサは、前記指定されたＲＲＩランクに基づいて前記複数のＲＲＩを選択することを特徴とする請求項１に記載のＵＥ。
【請求項８】
前記受信部は、前記選択されたＲＲＩの数を示すＲＲＩランクの上限値を指定する情報を前記ＢＳから受信し、
前記プロセッサは、前記上限値に基づいて前記複数のＲＲＩを選択することを特徴とする請求項１に記載のＵＥ。
【請求項９】
前記受信部は、前記ＲＲＩランクの上限値を指定する情報を前記ＢＳから受信し、
前記プロセッサは、前記上限値に基づいて前記複数のＲＲＩを選択することを特徴とする請求項７に記載のＵＥ。
【請求項１０】
前記プロセッサは、前記ＲＳ毎の受信品質を比較して前記複数のＲＲＩを選択することを特徴とする請求項１に記載のＵＥ。
【請求項１１】
前記プロセッサは、前記複数のＲＲＩのうちの１つが前記ＢＳからのデータ送信に用いられることを想定して前記複数のＲＲＩを選択することを特徴とする請求項１に記載のＵＥ。
【請求項１２】
前記プロセッサは、前記複数のＲＲＩのすべてが前記ＢＳにおいて空間多重に用いられることを想定して前記複数のＲＲＩを選択することを特徴とする請求項１に記載のＵＥ。
【請求項１３】
前記受信部は、前記複数のＲＲＩのうちの１つが前記ＢＳからのデータ送信に用いられるという第１の想定又は前記複数のＲＲＩのすべてが前記ＢＳにおいて空間多重に用いられるという第２の想定を示すＵＥ想定情報を前記ＢＳから受信し、
前記プロセッサは、前記受信したＵＥ想定情報に基づいて前記複数のＲＲＩを選択することを特徴とする請求項１に記載のＵＥ。
【請求項１４】
前記複数のＲＲＩの組み合わせは所定の規則によって制限されることを特徴とする請求項１に記載のＵＥ。
【請求項１５】
前記受信部は、前記所定の規則を前記ＢＳから受信することを特徴とする請求項１４に記載のＵＥ。
【請求項１６】
ユーザ装置（ＵＥ）において、それぞれ異なる無線リソースを用いて基地局（ＢＳ）から送信された複数の参照信号（ＲＳ）を受信するステップと、
前記ＵＥにおいて、ＲＳ送信に用いられる無線リソースに関連付けられたＲＳリソース識別子（ＲＲＩ）の中から複数のＲＲＩを選択するステップと、
前記ＵＥから前記複数のＲＲＩを前記ＢＳに送信するステップと、を有することを特徴とする無線通信方法。
【請求項１７】
前記ＵＥにおいて、前記ＲＳを用いて前記ＲＲＩのそれぞれにおいてチャネル状態情報（ＣＳＩ）を導出するステップをさらに有し、
前記送信ステップは、前記選択された複数のＲＲＩに対応する前記ＣＳＩを前記ＢＳに送信することを特徴とする請求項１６に記載の方法。
【請求項１８】
前記送信ステップは、前記選択された複数のＲＲＩの一部に対応する前記ＣＳＩを送信することを特徴とする請求項１７に記載の方法。
【請求項１９】
前記選択された複数のＲＲＩの一部は１つであることを特徴とする請求項１８に記載の方法。
【請求項２０】
前記送信ステップは、前記選択されたＲＲＩの数を示すＲＲＩランクを送信することを特徴とする請求項１６に記載の方法。
【発明の詳細な説明】
【技術分野】
【０００１】
本発明は、無線通信全般に関し、より具体的には、チャネル状態情報（ＣＳＩ）フィードバック方法に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）では、ＬＴＥ（ロングタームエボリューション）Ｒｅｌｅａｓｅ  １３（Ｒｅｌ．１３  ＬＴＥ）の下、垂直ビームフォーミング（Ｅｌｅｖａｔｉｏｎ  Ｂｅａｍｆｏｒｍｉｎｇ）及び全次元ＭＩＭＯ（Ｆｕｌｌ  Ｄｉｍｅｎｓｉｏｎ−Ｍｕｌｔｉｐｌｅ  Ｉｎｐｕｔ  Ｍｕｌｔｉｐｌｅ  Ｏｕｔｐｕｔ）におけるチャネル状態情報（ＣＳＩ）測定とＣＳＩフィードバックの設計が検討されている。Ｒｅｌ．１３  ＬＴＥにおけるＣＳＩ報告は、２つの異なるクラス（クラスＡ及びＢ）をサポートする。クラスＡのＣＳＩ報告は、プリコーディングされないＣＳＩ−ＲＳを対象とする。クラスＢのＣＳＩ報告は、ビームフォーミング（ＢＦ）されたＣＳＩ−ＲＳを対象とする。
【０００３】
Ｒｅｌ．１３  ＬＴＥおけるクラスＢのＣＳＩ報告の場合、ＣＳＩリソース数Ｋは１より大きい（Ｋ＞１）。ＣＳＩリソース数Ｋは、ビーム数と考えることができる。Ｒｅｌ．１３  ＬＴＥの場合、Ｋの最大値は８である。
【０００４】
図１に示すように、クラスＢのＣＳＩ報告においては、ｅＮＢ（ｅｖｏｌｖｅｄ  Ｎｏｄｅ  Ｂ）は、ビームフォーミング（ＢＦ）された複数（Ｋ個）の８−Ｔｘ  ＣＳＩ−ＲＳ（例えば、Ｋは４）を送信する（ステップＳ１）。ユーザ装置（ＵＥ）には複数のＢＦ  ＣＳＩ−ＲＳが設定される。言い換えると、ＵＥには、複数（Ｋ個）のＣＳＩ−ＲＳリソースが設定される。図１には４つのＢＦ  ＣＳＩ−ＲＳが異なる垂直傾斜角でｅＮＢから送信される例が示されるが、複数のＢＦ  ＣＳＩ−ＲＳは３次元でビームフォーミングを行ってもよい。次いで、ＵＥは、単一のＣＳＩ−ＲＳリソース識別子（ＣＲＩ）を、ランク識別子（ＲＩ）、プリコーディング行列識別子（ＰＭＩ）、チャネル品質情報（ＣＱＩ）などを含む対応のＣＳＩと共に送信する（ステップＳ２）。ここで、ＣＲＩは、ビーム識別子（ＢＩ）と呼ばれることもある。例えば、図１において、ＵＥは、単一のＣＲＩ＃３と選択されたＣＲＩのＣＳＩとをフィードバックする。Ｒｅｌ．１３  ＬＴＥは、ＵＥの選択するＣＲＩの数を１つと規定する。
【０００５】
Ｒｅｌ．１３  ＬＴＥにおける垂直ビームフォーミング及び全次元ＭＩＭＯは、単一のＢＦ  ＣＳＩ−ＲＳ内における空間多重伝送（マルチストリーム伝送）に対応している。
【０００６】
しかしながら、単一のＢＦ  ＣＳＩ−ＲＳ内では、複数のビームを空間多重によって空間的に適切に分離することはできない。これは、データストリームが単一ビーム内に存在するためである。この結果、単一のＣＲＩをＵＥからｅＮＢに送信する場合、空間多重伝送を効果的に実行して十分な利得を得ることができないおそれがある。
【先行技術文献】
【非特許文献】
【０００７】
【非特許文献１】３ＧＰＰ  ＴＳ  ３６．２１１  Ｖ１３．０．０
【発明の概要】
【０００８】
本発明の１つ又は複数の実施形態に係るユーザ装置（ＵＥ）は、それぞれ異なる無線リソースを用いて基地局（ＢＳ）から送信された複数の参照信号（ＲＳ）を受信する受信部と、ＲＳ送信に用いられる無線リソースに関連付けられたＲＳリソース識別子（ＲＲＩ）の中から複数のＲＲＩを選択するプロセッサと、複数のＲＲＩをＢＳに送信する送信部と、を有することを特徴とする。
【０００９】
本発明の１つ又は複数の実施形態に係る無線通信方法は、それぞれ異なる無線リソースを用いて基地局（ＢＳ）から送信された複数の参照信号（ＲＳ）を受信するステップと、ＲＳ送信に用いられる無線リソースに関連付けられたＲＳリソース識別子（ＲＲＩ）の中から複数のＲＲＩを選択するステップと、複数のＲＲＩをＢＳに送信するステップと、を有することを特徴とする。
【００１０】
本発明の実施形態によれば、ＵＥからの参照信号の送信に用いられる無線リソースに関連付けられた複数の参照信号リソース識別子をフィードバックとして送信することによって、空間多重利得及びビームダイバーシチ利得のいずれかを実現することができる。
【図面の簡単な説明】
【００１１】
【図１】ＬＴＥ  Ｒｅｌｅａｓｅ１３におけるＢＦ  ＣＳＩ−ＲＳベースの方法を示す図である。
【図２】本発明の１つ又は複数の実施形態に係る無線通信システムの構成を示す図である。
【図３】本発明の１つ又は複数の実施形態に係るＢＦ  ＣＳＩ−ＲＳベースの方法を示す図である。
【図４】本発明の１つ又は複数の実施形態に係るＢＦ  ＣＳＩ−ＲＳベースの方法を示すシーケンス図である。
【図５Ａ】本発明の態様の１つ又は複数の実施形態に係る、選択されたＣＲＩに対するＣＳＩフィードバックパターンを示す図である。
【図５Ｂ】本発明の態様の１つ又は複数の実施形態に係る、選択されたＣＲＩに対するＣＳＩフィードバックパターンを示す図である。
【図５Ｃ】本発明の態様の１つ又は複数の実施形態に係る、選択されたＣＲＩに対するＣＳＩフィードバックパターンを示す図である。
【図６Ａ】本発明の態様の１つ又は複数の実施形態に係る、ＣＲＩとＢＦ  ＣＳＩ−ＲＳのＣＲＩランクとを通知する方法を示す図である。
【図６Ｂ】本発明の態様の１つ又は複数の実施形態に係る、ＣＲＩとＢＦ  ＣＳＩ−ＲＳのＣＲＩランクとを通知する方法を示す図である。
【図７】本発明の他の態様の１つ又は複数の実施形態に係る、ＣＲＩとＢＦ  ＣＳＩ−ＲＳのＣＲＩランクとを通知する方法を示す図である。
【図８】本発明の他の態様の１つ又は複数の実施形態に係る、ＣＲＩとＢＦ  ＣＳＩ−ＲＳのＣＲＩランクとを通知する方法を示す図である。
【図９】本発明の他の態様の１つ又は複数の実施形態に係る、ＣＲＩとＢＦ  ＣＳＩ−ＲＳのＣＲＩランクとを通知する方法を示す図である。
【図１０】本発明の他の態様の１つ又は複数の実施形態に係る、ＣＲＩとＢＦ  ＣＳＩ−ＲＳのＣＲＩランクとを通知する方法を示す図である。
【図１１】本発明の他の態様の１つ又は複数の実施形態に係る、ＣＲＩとＢＦ  ＣＳＩ−ＲＳのＣＲＩランクとを通知する方法を示す図である。
【図１２】本発明の態様の１つ又は複数の実施形態に係る、ＣＲＩの組み合わせの可否を示す組合せ表を示す図である。
【図１３】本発明の他の態様の１つ又は複数の実施形態に係る、ＣＲＩのビームグループ化を示す図である。
【図１４】本発明の他の態様の１つ又は複数の実施形態に係る、ＣＲＩのビームグループ化を示す図である。
【図１５】本発明の１つ又は複数の実施形態に係るＢＳを示す機能ブロック図である。
【図１６】本発明の１つ又は複数の実施形態に係るＵＥの一例を示す構成図である。
【発明を実施するための形態】
【００１２】
以下、本発明の実施形態について添付図面を参照して詳細に説明する。本発明の実施形態では、本発明のより完全な理解のために、具体的な詳細が多く規定される。しかしながら、当業者においては、これらの具体的な詳細なしに本発明の実施が可能であることは明らかである。他の例では、本発明を不明瞭にすることを避けるために、周知の特徴は詳細には説明しない。
【００１３】
本発明の１つ又は複数の実施形態において、チャネル状態情報参照信号（ＣＳＩ−ＲＳ）は参照信号の一例である。ＣＳＩ−ＲＳリソース識別子（ＣＲＩ）は、ＲＳ送信に用いられる無線リソースを示すＲＳリソース識別子の一例である。
【００１４】
図２は、本発明の１つ又は複数の実施形態に係る無線通信システム１を図示する。無線通信システム１は、ユーザ装置（ＵＥ）１０、基地局（ＢＳ）（又はセル）２０、及びコアネットワーク３０を含む。無線通信システム１は、ＬＴＥ／ＬＴＥ−Ａｄｖａｎｃｅｄ（ＬＴＥ−Ａ）システム又はＮｅｗ  Ｒａｄｉｏ（ＮＲ）システムであってもよい。例えば、無線通信システム１は、垂直ビームフォーミング及び全次元ＭＩＭＯをサポートしてもよい。垂直ビームフォーミング及び全次元ＭＩＭＯは、ビームフォーミング（ＢＦ）が行われた複数のＣＳＩ−ＲＳリソースに対応するＣＳＩ報告が設定されるチャネル状態情報（ＣＳＩ）プロセスをサポートしてもよい。例えば、無線通信システム１は、クラスＢのＣＳＩ報告をサポートしてもよい。無線通信システム１は、本明細書で説明する特定の構成に限定されず、複数のＣＳＩ−ＲＳリソース及びビーム選択メカニズムに対応するＣＳＩプロセスをサポートする任意の無線通信システムであってもよい。本発明の１つ又は複数の実施形態において、ＣＳＩ−ＲＳを含む様々な信号は、ビームフォーミングが行われた（プリコーディングが行われた）信号である必要はなく、ビームフォーミング（プリコーディング）を行わない様々な信号があってもよい。
【００１５】
ＢＳ２０は、カバレッジエリア２００内において、ＭＩＭＯ技術を利用する複数のアンテナポートを介してＵＥ１０と上り（ＵＬ）及び下り（ＤＬ）信号をやり取りしてもよい。ＤＬ信号及びＵＬ信号は、制御情報及びユーザデータを含む。ＢＳ２０は、バックホールリンク３１を介して、コアネットワーク３０とＤＬ及びＵＬ信号をやり取りしてもよい。ＢＳ２０は、ｅｖｏｌｖｅｄ  ＮｏｄｅＢ（ｅＮＢ）又はＮＲシステム用の基地局であってもよい。
【００１６】
ＢＳ２０は、ＭＩＭＯ用のアンテナと、隣接するＢＳ２０と通信を行うための通信インタフェース（例えば、Ｘ２インタフェース）と、コアネットワーク３０と通信を行うための通信インタフェース（例えば、Ｓ１インタフェース）と、ＵＥ１０との送受信信号を処理するプロセッサや回路などのＣＰＵ（Ｃｅｎｔｒａｌ  Ｐｒｏｃｅｓｓｉｎｇ  Ｕｎｉｔ）と、を備える。以下に説明するＢＳ２０の動作は、メモリに格納されたデータ及びプログラムを処理又は実行するプロセッサによって実現されてもよい。しかしながら、ＢＳ２０は上述のハードウェア構成に限定されず、当業者に理解される他の適切なハードウェア構成によって実現されてもよい。無線通信全般システム１がより広いサービスエリアをカバーするように、通常複数のＢＳ２０が配置される。
【００１７】
ＢＳ２０は、下りＣＳＩ測定のために、ＣＳＩを取得する複数のＢＦ  ＣＳＩ−ＲＳをＵＥ１０に送信してもよい。このように、ＢＦ  ＣＳＩ−ＲＳのビーム数Ｋは、１より大きくてもよい（Ｋ＞１）。また、ＫはＣＳＩ−ＲＳリソース数を表す。ＣＲＩは、ＣＳＩ−ＲＳ送信に用いる無線リソース（ビーム）を示し、各ＢＦ  ＣＳＩ−ＲＳを識別する。ＢＦ  ＣＳＩ−ＲＳは、セル全体（セル固有ＢＦ  ＣＳＩ−ＲＳ）をカバーするＢＦ  ＣＳＩ−ＲＳであってもよい。
【００１８】
ＵＥ１０は、ＭＩＭＯ技術を用いて、制御情報とユーザデータとを含むＤＬ及びＵＬ信号をＢＳ２０とやり取りする。ＵＥ１０は、移動局、スマートフォン、携帯電話、タブレット、モバイルルータなどでもよいし、ウェアラブル機器など無線通信機能を有する情報処理装置でもよい。
【００１９】
ＵＥ１０は、プロセッサなどのＣＰＵ、ＲＡＭ（Ｒａｎｄｏｍ  Ａｃｃｅｓｓ  Ｍｅｍｏｒｙ）、フラッシュメモリ及び無線通信装置を備え、ＢＳ２０とＵＥ１０との間で無線信号の送受信が行われる。例えば、以下に説明するＵＥ１０の動作は、ＣＰＵ処理、又はメモリに格納されたデータ及びプログラムの実行によって実現されてもよい。ただし、ＵＥ１０は、上述したハードウェア構成に限定されるものではなく、例えば、以下の処理を実現する回路によって構成されてもよい。
【００２０】
ＵＥ１０は、ＢＳ１０から複数のＢＦ  ＣＳＩ−ＲＳを受信してもよい。ＵＥ１０は、複数のＢＦ  ＣＳＩ−ＲＳについてＫ個のビームのうち少なくとも１つのビーム（ＣＲＩ）を選択するビーム選択を実行してもよい。ＵＥ１０によって選択されるＣＲＩの数は、ＣＲＩランクと呼ばれる。ＣＲＩランクは、共通の広帯域で又は個別のサブバンドでフィードバックしてもよい。ＣＲＩランクの値はＫ以下である。ＵＥ１０は、選択された少なくとも１つのＣＲＩ及びＣＲＩランクをＢＳ２０に送信してもよい。例えば、ＢＳ２０が複数のＣＲＩをフィードバックとして受信した場合、ＢＳ２０は、ＣＲＩランクに基づいて、受信したＣＲＩが単一のビームに関連付けて時間多重された複数のＣＲＩであるか、複数のビームに関連付けて時間／周波数多重された複数のＣＲＩであるかを判断することができる。
【００２１】
本発明の１つ又は複数の実施形態では、ＣＲＩは、ビーム識別子（ＢＩ）又はアンテナポート（ＡＰ）と呼ばれてもよい。ＣＲＩランクは、ＢＩランク又はＡＰランクと呼ばれてもよい。本発明の１つ又は複数の実施形態では、ビームは無線リソースと呼ばれてもよい。
【００２２】
図３は、本発明の１つ又は複数の実施形態に係るＢＦ  ＣＳＩ−ＲＳベースの方法を示す図である。図３に示すように、ＢＳ２０は、複数のＢＦ  ＣＳＩ−ＲＳ（例えば、Ｋは４）を送信してもよい（ステップＳ１１）。次いで、ＵＥ１０は、当該複数のＢＦ  ＣＳＩ−ＲＳの中から、少なくとも１つのＣＳＩ−ＲＳに対応する少なくとも１つのビーム（ＣＲＩ）を選択してもよい。例えば、ＵＥ１０は、ＢＦ  ＣＳＩ−ＲＳ「１」及び「３」にそれぞれ対応するＣＲＩ「１」及び「３」を選択することができる。この結果、選択されたＣＲＩ（ＣＲＩランク）の数は「２」となる。そして、ＵＥ１０は、ＣＲＩ「１」及び「３」、ＣＲＩランク「２」、並びにＣＲＩ「１」及び「３」にそれぞれ対応するＣＳＩフィードバックを送信することができる（ステップＳ１２）。
【００２３】
図４は、本発明の１つ又は複数の実施形態に係るＢＦ  ＣＳＩ−ＲＳベースの方法を示すシーケンス図である。図４に示すように、ＢＳ２０は、ＣＲＩフィードバック関連情報を含むＣＳＩフィードバック関連情報の情報要素であるＣＳＩプロセスを、ＵＥ１０に送信してもよい（ステップＳ１０１）。そして、ＢＳ２０は、複数のＣＳＩ−ＲＳを、それぞれ異なる無線リソース（ＢＦ  ＣＳＩ−ＲＳ）を用いてセルに送信してもよい（ステップＳ１０２）。
【００２４】
ＵＥ１０は、ＢＦ  ＣＳＩ−ＲＳを受信した後、ビーム選択を行ってもよい（ステップＳ１０３）。ＵＥ１０は、ＣＲＩフィードバック関連情報を参照して、ＢＦ  ＣＳＩ−ＲＳ送信に用いられる無線リソース（ビーム）に対応するＣＲＩの中から複数のＣＲＩを選択することができる。さらに、ステップＳ１０３において、ＵＥ１０は、選択されたＣＲＩの各々についてＣＳＩを導出してもよい。
【００２５】
次いで、ＵＥ１０は、ビーム選択の結果に基づいて選択した複数のＣＲＩと、ＣＲＩランクと、選択した複数のＣＲＩに対するＣＳＩフィードバックとをＢＳに送信してもよい（ステップＳ１０４）。ステップＳ１０４において、ＵＥ１０は、少なくとも複数のＣＲＩを送信してもよい。ステップＳ１０４において、選択したそれぞれのＣＲＩに対するＣＳＩフィードバックが送信されてもよい。ＣＲＩは、物理上り制御チャネル（ＰＵＣＣＨ）又は他の物理チャネルを介して送信されてもよい。ＣＳＩフィードバックは、例えば、プリコーディングタイプ識別子（ＰＴＩ）、ランク識別子（ＲＩ）、プリコーディングマトリックスインデックス（ＰＭＩ）、参照信号受信電力（ＲＳＲＰ）及びチャネル品質情報（ＣＱＩ）を含む。
【００２６】
ＢＳ２０は、ＵＥ１０からのＣＲＩ、ＣＲＩランク及びＣＳＩを用いて、物理下り共有チャネル（ＰＤＳＣＨ）を介して、プリコーディングされたデータ信号をＵＥ１０に送信する（ステップＳ１０５）。
【００２７】
このように、本発明の１つ又は複数の実施形態によれば、複数のＣＳＩ−ＲＳがＢＳ２０から送信される場合、ＵＥ１０は、複数のＣＲＩを選択し、選択した複数のＣＲＩを送信してもよい。結果として、空間多重利得及びビームダイバーシチ利得のいずれかを、フィードバックとして複数のＣＲＩをＵＥ１０からＢＳ２０に送信することによって実現することができる。
【００２８】
本発明の１つ又は複数の実施形態によれば、図４のステップＳ１０４において、ＣＳＩは、複数のＣＲＩから独立して送信されてもよい。
【００２９】
本発明の１つ又は複数の実施形態によれば、図４のステップＳ１０４において、ＵＥ１０は、選択された複数のＣＲＩの一部に対応するＣＳＩを送信することもできる。例えば、図５Ａ〜図５Ｃに示すように、ＣＲＩ「１」〜「４」はそれぞれＣＳＩ「１」〜「４」に対応し、ＣＲＩ「１」、「２」及び「３」はフィードバックとしてＢＳ２０に送信される複数のＣＲＩとして選択される。図６Ａにおいて、ＵＥ１０は、ＣＲＩ「１」、「２」及び「３」の一部に対応するＣＳＩ「１」と「３」をＢＳ２０に送信してもよい。また、ＢＳ２０は、送信するＣＳＩに対応する一部のＣＲＩの数を示す情報をＵＥ１０に送信してもよい。ＵＥは、受信した情報に示される数値に基づいて決定された複数ＣＲＩのうち一部に対応するＣＳＩを送信してもよい。
【００３０】
本発明の１つ又は複数の実施形態によれば、図４のステップＳ１０４において、ＵＥ１０は、選択された複数のＣＲＩのうちの１つに対応するＣＳＩを送信することもできる。例えば、図６Ｂに示すように、ＵＥ１０は、ＣＲＩ「１」、「２」及び「３」のうちの１つに対応するＣＳＩ「１」をＢＳ２０に送信してもよい。
【００３１】
本発明の１つ又は複数の実施形態によれば、図４のステップＳ１０４において、ＵＥ１０は、選択された複数のＣＲＩすべてに対応するＣＳＩを送信してもよい。例えば、図６Ｃに示すように、ＵＥ１０は、ＣＲＩ「１」、「２」及び「３」のすべてに対応するＣＳＩ「１」、「２」及び「３」をＢＳ２０に送信してもよい。この場合、図４のステップＳ１０３において、ＵＥ１０は、複数のＣＲＩがＢＳ２０で空間多重に用いられると想定して、ＣＳＩを導出してもよい。
【００３２】
本発明の１つ又は複数の実施形態によれば、図４のステップＳ１０４においてＵＥ１０からフィードバックとして送信されるＣＲＩランクは、以下のように決定することができる。
【００３３】
例えば、第１の例として、フィードバック用のＣＲＩランクをＢＳ２０が指定してもよい。例えば、図４のステップＳ１０１において、ＢＳ２０は、フィードバック用のＣＲＩランクを指定する情報を含むＣＳＩプロセスを送信してもよい。さらに、ＣＲＩランクは、ＣＳＩプロセス以外の所定の信号を用いて送信することもできる。ＵＥ１０は、ＢＳ２０によって指定されたＣＲＩランクに基づいて、複数のＣＲＩを選択してもよい。
【００３４】
例えば、第２の例として、ＵＥ１０にＣＲＩランクを設定して、図４のステップＳ１０３又はステップＳ１０４よりも前の別のステップにおいて、フィードバックするＣＲＩランクを決定してもよい。
【００３５】
例えば、第３の例では、フィードバックするＣＲＩランクの上限値をＢＳ２０が指定してもよい。例えば、図４のステップＳ１０１において、ＢＳ２０は、フィードバックするＣＲＩランクの上限値を指定する情報を含むＣＳＩプロセスを送信してもよい。また、ＣＲＩランクの上限値は、ＣＳＩプロセス以外の所定の信号を用いて送信してもよい。
【００３６】
例えば、第１〜第３の例を組み合わせて適用してもよい。例えば、第２の例と第３の例を組み合わせた場合、ＢＳ２０がＣＲＩランクの上限値を指定し、ＵＥ１０がＣＲＩランクを決定してフィードバックしてもよい。
【００３７】
さらに、第１〜第３の例に係るＣＲＩランク決定方法のすべて又は一部を、動的又は準静的に切り替えてもよい。すなわち、ＵＥ１０は、ランク情報中に指定されたＣＲＩランク（第１の例）、設定されたＣＲＩランク（第２の例）及び上限値（第３の例）のうち少なくとも１つに基づいて複数のＣＲＩを選択してもよい。
【００３８】
以下、図４のステップＳ１０３における、ＵＥ１０が所定の想定事項に基づいてビームを選択する方法について詳細に説明する。例えば、従来の方法では、複数のビーム（ＣＲＩ）を選択する場合、選択するビームがビーム選択の基準に応じて異なることがある。
【００３９】
本発明の１つ又は複数の実施形態によれば、ＵＥ１０は、ＣＲＩとしてフィードバックされる複数のビームのうちの単一のビームがデータ送信に用いられると想定して（第１の想定）、フィードバック用の複数のビーム（ＣＲＩ）を選択してもよい。言い換えれば、ＵＥ１０は、他ビームの相関を考慮せずに複数のビームを選択することができる。すなわち、ＵＥは他のＣＳＩ−ＲＳリソースを考慮に入れることなくＣＲＩを選択する。例えば、ＵＥ１０は、ビーム選択においてビーム候補の受信品質を比較し、他の候補よりも受信品質が高い複数のビーム（ＣＲＩ）を選択してもよい。選択する複数のビームの数は、所定の数であってよい。
【００４０】
本発明の１つ又は複数の実施形態によれば、ＵＥ１０は、ＵＥ１０によって選択されるビームはすべてデータ送信（空間多重）に用いられると想定して（第２の想定）、フィードバックする複数のビーム（ＣＲＩ）を選択する。例えば、ＵＥ１０がＣＲＩランク「３」をフィードバックとしてＢＳ２０に送信する場合、ＵＥ１０は、ＣＲＩランク「３」によって示される３つのビームがＢＳ２０による空間多重の対象であると想定してＣＲＩ及びＣＲＩランクを決定してもよい。すなわち、ＵＥは、複数のＣＲＩのすべてのアンテナポート（ＡＰ）が空間多重（ＡＰ数よりも低ランクでのプリコーディング動作を含む）に用いられると想定する。さらに、複数のビームが空間多重される場合、ＵＥ１０は、相関の低いビームを複数選択し、選択した複数のビームをＢＳ２０に送信してもよい。
【００４１】
本発明の１つ又は複数の実施形態によれば、ＵＥ１０は、複数のビームのうちの一部のビームがデータ送信に用いられると想定して（第３の想定）、フィードバック用の複数のビーム（ＣＲＩ）を選択する。
【００４２】
本発明の１つ又は複数の実施形態によれば、ＢＳ２０は、第１〜第３の想定のうちの１つを指定する情報をＵＥ１０に通知してもよく、ＵＥ１０はビーム選択についての想定事項を切り替えることができる。
【００４３】
（ＣＲＩ及びＢＦ  ＣＳＩ−ＲＳのＣＲＩランクの通知）
本発明の１つ又は複数の実施形態に係る、ＣＲＩとＢＦ  ＣＳＩ−ＲＳのＣＲＩランクとを通知する例を図５を参照して以下に詳細に説明する。図６Ａ及び図６Ｂに示すように、ＣＲＩランクと各ＣＲＩ（ＣＲＩ１及びＣＲＩ２）とは別々に送信されてもよい。また、ＣＲＩランクは、ＣＲＩ１及びＣＲＩ２と共に周期的に送信されてもよい。図６Ｂに示すように、ＣＲＩランクを送信する所定の周期は、ＣＲＩの送信周期と同一でもよい。例えば、ＣＲＩの送信周期は、（図６Ａに示すように）ＣＲＩ１とＣＲＩ２の間にタイミングギャップを有する、又は、（図６Ｂに示すように）ＣＲＩ１と次のＣＲＩ１の間にタイミングギャップを有する。図６Ａに示すように、ＣＲＩランクを送信する所定の周期をＣＲＩの送信周期の倍数としてもよい。
【００４４】
本発明の他の実施形態では、図６Ａ及び図６Ｂに示すように、所定のオフセット値がＣＲＩ送信に加えられる所定の周期でＣＲＩランクを送信してもよい。ＣＲＩランクは、ＣＲＩ送信から所定のオフセット値が経過する前に送信されてもよい。所定のオフセット値を、最初（１番目）のＣＲＩに対するオフセットに決定してもよい。すなわち、ＣＲＩランクを送信するサブフレームは、ＣＲＩ送信サブフレームに対するオフセットとして定義することができる。
【００４５】
本発明の他の態様の実施形態では、図７に示すように、同一のＣＲＩランクを想定して複数セットのＣＲＩを送信することができる。この例では、連続するＣＲＩ間で合計４つのＣＲＩ（２セットのＣＲＩ）が送信される。このＣＲＩ間の間隔は、上位（又は下位）レイヤシグナリングによってｅＮＢから通知してもよい。
【００４６】
本発明の他の態様の実施形態では、図８に示すように、複数のＣＲＩ（例えば、ＣＲＩ１及びＣＲＩ２）が多重されてもよい。ＣＲＩランクは、多重ＣＲＩとは別に送信してもよい。
【００４７】
本発明の他の態様の実施形態では、図９に示すように、ＣＲＩランクは、複数のＣＲＩのうちの１つ（例えば、ＣＲＩ１）と多重されてもよい。ＣＲＩ１と多重されたＣＲＩランクは、ＣＲＩ２とは別に送信してもよい。
【００４８】
本発明の他の態様の実施形態では、図１０に示すように、ＣＲＩランクは、複数のＣＲＩのうちの１つ（例えば、ＣＲＩ１）及び他のＣＳＩの一部又は全部（例えば、ＰＴＩ、ＲＩ、ＰＭＩ、ＣＱＩなど）と多重されてもよい。ＣＲＩ１及びＲＩ１と多重されたＣＲＩランクは、ＣＲＩ２及び対応のＣＳＩとは別に送信してもよい。
【００４９】
本発明の他の態様の実施形態では、図１１に示すように、ＣＲＩランクは、複数のＣＲＩ（例えば、ＣＲＩ１及びＣＲＩ２）のすべて又は一部と多重されてもよい。ＣＲＩ１及びＣＲＩ２と多重されたＣＲＩランクは、ジョイント符号化されて送信されてもよい。
【００５０】
さらに、ＣＲＩは、関連するＣＲＩランクに基づいて導出することができる。これは、例えば、最後に通知されたＣＲＩである。さらに、ＣＲＩ２は、ＣＲＩ１を想定して導出することができる。これは、例えば最後に通知されたＣＲＩ１である。
【００５１】
さらに、ＣＲＩランクは、ＣＳＩに含まれるＰＴＩ、ＲＩ、ＰＭＩ及びＣＱＩのすべて又は一部と多重されてもよい。ＣＳＩに含まれるＰＴＩ、ＲＩ、ＰＭＩ及びＣＱＩのすべて又は一部と多重されたＣＲＩランクは、図６〜図１１に示すように、ＣＲＩとＢＦ  ＣＳＩ−ＲＳのＣＲＩランクとを通知する方法に適用することができる。
【００５２】
さらに、図６及び図７に示すＣＲＩランクを送信する周期及びタイミングは、図８〜図１１に示すように、ＣＲＩとＢＦ  ＣＳＩ−ＲＳのＣＲＩランクとを通知する方法に適用することができる。
【００５３】
さらに、図６〜図１１に示すように、ＵＥ１０が選択するＣＲＩの数は２つ（ＣＲＩ１及びＣＲＩ２）に限定されない。選択するＣＲＩの数は任意の数であってよい。
【００５４】
（選択されるＣＲＩの組み合わせ）
本発明の一例の一実施形態によれば、ＵＥ１０は、所定の組み合わせ（所定の規則）に従って、複数のＢＦ  ＣＳＩ−ＲＳの中からＣＲＩを選択してもよい。所定の組み合わせは、ＢＳ１０からＵＥ１０に通知してもよい。当該所定の組み合わせは、例えば、ＣＲＩを他のＣＲＩと組み合わせることができるか否かを示す組合せ表に基づいて決定される。図１２は、本発明の１つ又は複数の実施形態に係る、ＣＲＩの組み合わせを規定する組合せ表を示す図である。
【００５５】
例えば、図１２に示すように、ＣＲＩ１とＣＲＩ２を組み合わせることはできず、ＣＲＩ１とＣＲＩ３又はＣＲＩ１とＣＲＩ４は組み合わせることができる。ＣＲＩ２とＣＲＩ３は組み合わせることはできず、ＣＲＩ２とＣＲＩ４は組み合わせることができる。ＣＲＩ  ３とＣＲＩ  ４を組み合わせることはできない。上記の「可」及び「不可」は、例えば、ＲＲＣシグナリングを介して、ビットマップフォーマットで示されてもよい。ＣＲＩは、上記の「可」及び「不可」の情報に基づいて決定することができる。例えば、組み合わせの可能な３つのインデックス（例えば１−３、１−４及び２−４）をそれぞれＣＲＩ０、１及び２とすることができる。
【００５６】
例えば、ＢＳ１０が４つのＢＦ  ＣＳＩ−ＲＳを送信する場合、ＵＥ１０は、組合せ表に基づいて、ＣＲＩ１、３及び４の組み合わせ、又はＣＲＩ２及び４の組み合わせから少なくとも１つのＣＲＩを選択してもよい。
【００５７】
ＣＲＩの組み合わせの可否はＣＲＩランク毎に異なってもよい。すなわち、適切なビーム選択のために、上位ＣＲＩランクに対するＣＲＩの組み合わせの制限は下位ＣＲＩランクにおける制限とは異なってもよい。
【００５８】
別の例として、ＣＲＩの組み合わせの可否はＣＲＩランク毎に異ならなくてもよい。すなわち、共通の組合せ表を各ＣＲＩランクに用いてもよい。
【００５９】
本発明の他の態様の実施形態によれば、ＵＥ１０は、ＣＳＩ−ＲＳの所定のビームグループに基づいて、複数のＢＦ  ＣＳＩ−ＲＳの中からＣＲＩを選択してもよい。例えば、図１３に示すように、ＢＦ  ＣＳＩ−ＲＳ１及び２はビームグループ１に属し、ＢＦ  ＣＳＩ−ＲＳ３及び４はビームグループ２に属する。この場合、ＵＥ１０がＢＦ  ＣＳＩ−ＲＳ１に関連付けられたＣＲＩ１を選択した場合、ＵＥ１０は、同じビームグループ１に属するＢＦ  ＣＳＩ−ＲＳ２に関連付けられたＣＲＩ２を選択しなくてもよい。
【００６０】
一方で、例えば、図１４に示すように、ＢＦ  ＣＳＩ−ＲＳ１及び３はビームグループ１に属し、ＢＦ  ＣＳＩ−ＲＳ２及び４はビームグループ２に属する。この場合、ＵＥ１０は、ＢＦ  ＣＳＩ−ＲＳ１に関連付けられたＣＲＩ１を選択する場合、同じビームグループ１に属するＢＦ  ＣＳＩ−ＲＳ３に関連付けられたＣＲＩ３を選択してもよい。
【００６１】
他の例では、ビームグループを示すビームグループインデックスをＢＳ２０にフィードバックしてＣＳＩを取得してもよい。
【００６２】
本発明の他の態様の実施形態によれば、ＣＲＩの組み合わせを黙示的に決定してもよい。例えば、ビーム選択時、連続するＣＲＩ（例えば、ＣＲＩ１及びＣＲＩ１に隣接するＣＲＩ２）を同時に選択することができないことが考えられる。
【００６３】
本発明の他の態様の実施形態によれば、ＵＥ１０は、複数のＢＦ  ＣＳＩ−ＲＳの中から好ましいＣＲＩを選択することができる。すなわち、ビーム選択時に、ＣＲＩの全組み合わせが可能なことが考えられる。
【００６４】
本発明の１つ又は複数の実施形態によれば、ＣＲＩは、共通の広帯域又は個別のサブバンドに用いてもよい。例えば、受信品質の比較的低いビーム（ＢＦ  ＣＳＩ−ＲＳ）は周波数選択性が強いことが考えられるため、受信品質の比較的低いビームに対応するＣＲＩを各サブバンドに用いてもよい。例えば、第１のＣＲＩ（ＣＲＩ１）を共通の広帯域で通知し、第２のＣＲＩ（ＣＲＩ２）を各サブバンドで通知することができる。
【００６５】
同様に、異なるビーム（ＢＦ  ＣＳＩ−ＲＳ）はそれぞれ異なる送信特性を有してもよい。例えば、第１の固有ビームと第２の固有ビームとの間に周波数選択性と時間変動性の差が存在してもよい。別の例として、ＣＲＩをフィードバック（送信）する周期及びＣＲＩに関連付けるＣＳＩをビーム毎に変更してもよい。
【００６６】
（他の態様）
複数のＣＲＩフィードバックの場合、複数のＣＲＩに関連付けられたＣＳＩフィードバックのフィードバックビット数が増加する可能性がある。例えば、ＣＳＩフィードバックのフィードバックビット数は、ＣＲＩランクにほぼ比例して増加する。したがって、本発明の他の態様の１つ又は複数の実施形態によれば、ＣＳＩフィードバックのフィードバックビット数は、ＣＲＩランクに反比例するように制限されてもよい。
【００６７】
例えば、複数のＣＲＩフィードバックの場合に、選択対象のＣＲＩ及びＰＭＩの候補を限定してもよい（サブサンプリングを適用する方法）。
【００６８】
例えば、複数のＣＲＩフィードバックの場合に、差分ＣＱＩをＣＱＩフィードバックに適用してもよい。ＵＥ１０は、基準ＣＱＩ値と少なくとも１つの差分ＣＱＩ値とを通知することができる。例えば、複数のＣＲＩフィードバックに対して複数の異なるＣＱＩが存在する場合に、単一の基準ＣＱＩ値を用いてもよい。例えば、送信特性はビーム毎に大きく異なる可能性があるため、基準ＣＱＩを各ビーム（ＢＦ  ＣＳＩ−ＲＳ）に用いてもよい。
【００６９】
本発明の他の態様の実施形態によれば、ＵＥ１０がＣＲＩを選択する場合に、ＢＦ  ＣＳＩ−ＲＳに対応する複数のＣＲＩのＣＲＩランクの合計値の上限を設定してもよい。例えば、ＢＳ２０は、上限値をＵＥ１０に通知してもよい。上限値は、全ビームについてまとめて通知してもよいし、ビーム毎（ＣＲＩ毎）に通知してもよい。
【００７０】
他の例では、上限値は黙示的に決定してもよい。例えば、偏波多重が有効であり、複数のＢＦ  ＣＳＩ−ＲＳにおける有効ビーム数が１又は２であると想定して、各ビームの上限値を２（又は４）に決定してもよい。例えば、適用するコードブックをＣＲＩランクに従って変更してもよい。
【００７１】
本発明の他の態様の実施形態によれば、ＵＥ１０は複数のＣＲＩで同一のＰＭＩフィードバックを行うことはできないので、異なるＣＲＩによるＰＭＩフィードバックを行う制限を適用することができる。あるいは、当該制限について図１１と同様のテーブルを規定してもよい。他の例では、ＣＲＩ毎のＲＩフィードバックの制限（例えば、ＣＲＩ毎の、ＲＩ＝１のフィードバック又はＲＩ≦２のフィードバック）を適用してもよい。
【００７２】
（基地局の構成）
【００７３】
以下、図１５を参照して、本発明の１つ又は複数の実施形態に係るＢＳ２０について説明する。
【００７４】
図１５に示すように、ＢＳ２０は、ＭＩＭＯ用アンテナ２１と、ＲＦ（Ｒａｄｉｏ  Ｆｒｅｑｕｅｎｃｙ）回路２２と、ＣＳＩ−ＲＳスケジューラ２３と、ＣＳ−ＲＳ生成部２４と、プリコーダ２５と、マルチプレクサ２６とを備える。ＲＦ回路２２は、送信部（ＴＸＲＵ）２２１と受信部２２２とを含む。
【００７５】
アンテナ２１は、複数のアンテナ素子を有する多次元アンテナから構成されてもよく、２Ｄアンテナ（平面アンテナ）、円柱状に配置されたアンテナや立方体状に配置されたアンテナを含む３Ｄアンテナなどが含まれる。アンテナ２１は、１つ以上のアンテナ素子を有するアンテナポートを含む。各アンテナポートから送信されたビームは、ＵＥ１０とＭＩＭＯ通信を行うように制御される。
【００７６】
アンテナ２１は、線形アレイアンテナに比べてアンテナの素子数を容易に増加させることができる。多数のアンテナ素子を利用するＭＩＭＯ伝送においては、システム性能をさらに改善することが求められている。例えば、３Ｄビームフォーミングでは、アンテナ数の増加に応じた高いビームフォーミング利得が期待される。さらに、ＭＩＭＯ伝送は、例えばビームのヌル点を制御するなど干渉低減の面においても有利であり、マルチユーザＭＩＭＯにおいてユーザ間の干渉を除去するなどの効果が期待できる。
【００７７】
ＲＦ回路２２は、アンテナ２１への入力信号を生成し、アンテナ２１からの出力信号の受信処理を行う。
【００７８】
ＲＦ回路２２の送信部２２１は、アンテナ２１を介してＵＥ１０にデータ信号（例えば、参照信号や、プリコーディングされたデータ信号）を送信する。送信部２２１は、決定されたＣＳＩ−ＲＳリソースの状態を示すＣＳＩ−ＲＳリソース情報（例えば、サブフレーム構成ＩＤ及びマッピング情報）を、上位レイヤシグナリング又は下位レイヤシグナリングを介してＵＥ２０に送信する。送信部２２１は、決定されたＣＳＩ−ＲＳリソースに割り当てられた複数のＢＦ  ＣＳＩ−ＲＳをＵＥ１０に送信する。
【００７９】
ＲＦ回路２２の受信部２２２は、ＵＥ１０からアンテナ２１を介してＣＲＩ、ＣＲＩランク及びＣＳＩフィードバックを受信する。
【００８０】
ＣＳＩ−ＲＳスケジューラ２３は、ＣＳＩ−ＲＳに割り当てられるＣＳＩ−ＲＳリソースを判定する。例えば、ＣＳＩ−ＲＳスケジューラ２３は、サブフレームの中からＣＳＩ−ＲＳを含むＣＳＩ−ＲＳサブフレームを判別する。さらに、ＣＳＩ−ＲＳスケジューラ２３は、ＣＳＩ−ＲＳにマッピングされる少なくとも１つのリソース要素（ＲＥ）を決定する。
【００８１】
ＣＳＩ−ＲＳ生成部２４は、下りチャネル状態を推定するためのＣＳＩ−ＲＳを生成する。ＣＳＩ−ＲＳ生成部２４は、ＣＳＩ−ＲＳに加えて、ＬＴＥ規格で規定される参照信号、個別参照信号（ＤＲＳ）、セル固有参照信号（ＣＲＳ）、プライマリ同期信号（ＰＳＳ）及びセカンダリ同期信号（ＳＳＳ）などの同期信号、並びに別途規定された参照信号を生成してもよい。
【００８２】
プリコーダ２５は、下りデータ信号及び下り参照信号に適用するプリコーダを決定する。プリコーダは、プリコーディングベクトル、又はより一般的にはプリコーディング行列と呼ばれる。プリコーダ２５は、推定された下りリンクのチャネル状態を示すＣＳＩと、入力された復号ＣＳＩフィードバックとに基づいて、下りリンクのプリコーディングベクトル（プリコーディング行列）を決定する。
【００８３】
マルチプレクサ２６は、ＣＳＩ−ＲＳスケジューラ２３の決定したＣＳＩ−ＲＳリソースに基づいて、ＣＳＩ−ＲＳをＲＥに多重する。
【００８４】
送信される参照信号は、セル固有の参照信号又はＵＥ固有の参照信号であってよい。例えば、参照信号は、ＰＤＳＣＨなどのＵＥ固有信号に多重して、プリコーディングしてもよい。参照信号の送信ランクをＵＥ１０に通知することで、チャネル状態の推定をチャネル状態に応じた適切なランクで実現することができる。
【００８５】
（ユーザ装置の構成）
以下、図１６を参照して、本発明の１つ又は複数の実施形態に係るＵＥ１０について説明する。
【００８６】
図１６に示すように、ＵＥ１０は、ＢＳ２０と通信を行うためのＵＥアンテナ１１と、ＲＦ回路１２と、デマルチプレクサ１３と、チャネル推定部１４と、ＣＳＩフィードバック制御部１５と、ＣＳＩ−ＲＳ制御部１６を備えてよい。ＲＦ回路１２は、送信部１２１と受信部１２２を含む。
【００８７】
ＲＦ回路１２の送信部１２１は、ＣＲＩ、ＣＲＩランク及びＣＳＩフィードバックを、ＵＥアンテナ１１を介してＢＳ２０に送信する。
【００８８】
ＲＦ回路１２の受信部１２２は、ＢＳ２０からＵＥアンテナ１１を介してデータ信号（例えば、ＢＦ  ＣＳＩ−ＲＳなどの参照信号）を受信する。
【００８９】
デマルチプレクサ１３は、ＢＳ２０から受信した信号からＰＤＣＣＨ信号を分離する。
【００９０】
チャネル推定部１４は、ＢＳ２０から送信されたＣＳＩ−ＲＳに基づいて下りチャネル状態を推定し、ＣＳＩフィードバック制御部１５へ出力する。
【００９１】
ＣＳＩフィードバック制御部１５は、下りチャネル状態を推定する参照信号を用いて、推定された下りチャネル状態に基づいてＣＳＩフィードバックを生成する。ＣＳＩフィードバック制御部１５は、生成したＣＳＩフィードバックを送信部１２１に出力し、送信部１２１は、ＣＳＩフィードバックをＢＳ２０に送信する。
【００９２】
ＣＳＩ−ＲＳ制御部１６は、複数のＢＦ  ＣＳＩ−ＲＳの中からビーム（ＢＦ  ＣＳＩ−ＲＳ）に対応するＣＲＩを選択するビーム選択を行う。
【００９３】
本開示においては下り送信の例を中心に説明したが、本発明はこれに限定されるものではない。本発明の１つ又は複数の実施形態は、上り送信にも適用することができる。
【００９４】
本開示においてはＬＴＥ／ＬＴＥ−Ａに基づくチャネル及びシグナリング方式の例を中心に説明したが、本発明はこれに限定されるものではない。本発明の１つ又は複数の実施形態は、ＬＴＥ／ＬＴＥ−Ａと同一の機能を有する他のチャネル及びシグナリング方式や、別途規定されたチャネル及びシグナリング方式などにも適用することができる。
【００９５】
上記の態様及び変更例は互いに組み合わせることが可能であり、これらの態様の各種特徴を様々なパターンで組み合わせることが可能である。本発明は、本明細書に開示される特定の組み合わせに限定されない。
【００９６】
本開示においては一定数の実施形態のみが説明されたが、本開示の利益を享受する当業者であれば、本発明の範囲から逸脱することなく様々な他の実施形態が可能であることを理解することができる。したがって、本発明の範囲は、添付の特許請求の範囲によってのみ限定されるものである。
【符号の説明】
【００９７】
１無線通信システム
１０ユーザ装置（ＵＥ）
１１  ＵＥアンテナ
１２  ＲＦ回路
１２１送信部
１２２受信部
１３  デマルチプレクサ
１４チャネル推定部
１５  ＣＳＩフィードバック制御部
１６  ＣＳＩ−ＲＳ制御部
２０基地局（ＢＳ）
２１アンテナ
２２  ＲＦ回路
２２１送信部
２２２受信部
２３  ＣＳＩ−ＲＳスケジューラ
２４  ＣＳＩ−ＲＳ生成部
２５プリコーダ
２６マルチプレクサ
【図１】
2020127221.tif 000003
【図２】
2020127221.tif 000004
【図３】
2020127221.tif 000005
【図４】
2020127221.tif 000006
【図５Ａ】
2020127221.tif 000007
【図５Ｂ】
2020127221.tif 000008
【図５Ｃ】
2020127221.tif 000009
【図６Ａ】
2020127221.tif 000010
【図６Ｂ】
2020127221.tif 000011
【図７】
2020127221.tif 000012
【図８】
2020127221.tif 000013
【図９】
2020127221.tif 000014
【図１０】
2020127221.tif 000015
【図１１】
2020127221.tif 000016
【図１２】
2020127221.tif 000017
【図１３】
2020127221.tif 000018
【図１４】
2020127221.tif 000019
【図１５】
2020127221.tif 000020
【図１６】
2020127221.tif 000021
【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
基地局（ＢＳ）から送信された複数のチャネル状態情報参照信号（ＣＳＩ−ＲＳ）を受信する受信部と、
プロセッサと、
送信部と、を備え、
前記複数のＣＳＩ−ＲＳのそれぞれは、ＣＳＩ−ＲＳリソースを用いて送信され、
前記ＣＳＩ−ＲＳリソースのそれぞれは、ＣＳＩ−ＲＳリソース識別子（ＣＲＩ）により識別され、
前記プロセッサは、前記ＣＲＩの中から一以上の所定のＣＲＩを選択し、
前記プロセッサは、前記ＢＳから受信した情報に基づいて前記一以上の所定のＣＲＩを選択し、
前記送信部は、前記選択された一以上の所定のＣＲＩを前記ＢＳに送信し、
前記受信部は、前記ＢＳから、選択されるＣＲＩの数を指定する情報を受信し、
前記所定のＣＲＩの数は、前記指定されたＣＲＩの数であることを特徴とするユーザ装置（ＵＥ）。
【請求項２】
前記プロセッサは、前記ＣＳＩ−ＲＳを用いて前記ＣＲＩのそれぞれにおいてチャネル状態情報（ＣＳＩ）を導出し、
前記送信部は、前記選択された一以上の所定のＣＲＩに対応する前記ＣＳＩを前記ＢＳに送信することを特徴とする請求項１に記載のＵＥ。
【請求項３】
前記送信部は、前記選択された一以上の所定のＣＲＩの一部に対応する前記ＣＳＩを送信することを特徴とする請求項２に記載のＵＥ。
【請求項４】
前記選択された一以上の所定のＣＲＩの一部は１つであることを特徴とする請求項３に記載のＵＥ。
【請求項５】
前記送信部は、前記選択された一以上の所定のＣＲＩのすべてに対応する単一のＣＳＩを送信することを特徴とする請求項２に記載のＵＥ。
【請求項６】
前記送信部は、前記選択されるＣＲＩの数を示すＣＲＩランクを送信することを特徴とする請求項１に記載のＵＥ。
【請求項７】
前記受信部は、前記選択されるＣＲＩの数を示すＣＲＩランクの上限値を指定する情報を前記ＢＳから受信し、
前記プロセッサは、前記上限値に基づいて前記一以上の所定のＣＲＩを選択することを特徴とする請求項１に記載のＵＥ。
【請求項８】
前記プロセッサは、前記ＣＳＩ−ＲＳ毎の受信品質を比較して前記一以上の所定のＣＲＩを選択することを特徴とする請求項１に記載のＵＥ。
【請求項９】
前記プロセッサは、前記一以上の所定のＣＲＩのうちの１つが前記ＢＳからのデータ送信に用いられることを想定して前記一以上の所定のＣＲＩを選択することを特徴とする請求項１に記載のＵＥ。
【請求項１０】
前記プロセッサは、前記一以上の所定のＣＲＩのすべてが前記ＢＳにおいて空間多重に用いられることを想定して前記一以上の所定のＣＲＩを選択することを特徴とする請求項１に記載のＵＥ。
【請求項１１】
前記受信部は、前記一以上の所定のＣＲＩのうちの１つが前記ＢＳからのデータ送信に用いられるという第１の想定又は前記一以上の所定のＣＲＩのすべてが前記ＢＳにおいて空間多重に用いられるという第２の想定を示すＵＥ想定情報を前記ＢＳから受信し、
前記プロセッサは、前記受信したＵＥ想定情報に基づいて前記一以上の所定のＣＲＩを選択することを特徴とする請求項１に記載のＵＥ。
【請求項１２】
前記一以上の所定のＣＲＩの組み合わせは所定の規則によって制限されることを特徴とする請求項１に記載のＵＥ。
【請求項１３】
前記受信部は、前記所定の規則を前記ＢＳから受信することを特徴とする請求項１２に記載のＵＥ。
【請求項１４】
ユーザ装置（ＵＥ）において、基地局（ＢＳ）から送信された複数のチャネル状態情報参照信号（ＣＳＩ−ＲＳ）を受信するステップと、
前記ＵＥにおいて、前記複数のＣＳＩ−ＲＳのそれぞれを送信するために用いられるＣＳＩ−ＲＳリソースのそれぞれを識別するＣＳＩ−ＲＳリソース識別子（ＣＲＩ）の中から一以上の所定のＣＲＩを前記ＢＳから受信した情報に基づいて選択するステップと、
前記ＵＥから前記一以上の所定のＣＲＩを前記ＢＳに送信するステップと、を有し、
前記ＵＥにおいて、前記ＢＳから、前記選択されるＣＲＩの数を指定する情報を受信し、
前記所定のＣＲＩの数は、前記指定されたＣＲＩの数であることを特徴とする無線通信方法。
【請求項１５】
前記ＵＥにおいて、前記ＣＳＩ−ＲＳを用いて前記ＣＲＩのそれぞれにおいてチャネル状態情報（ＣＳＩ）を導出するステップをさらに有し、
前記送信ステップは、前記選択された一以上の所定のＣＲＩに対応する前記ＣＳＩを前記ＢＳに送信することを特徴とする請求項１４に記載の方法。
【請求項１６】
前記送信ステップは、前記選択された一以上の所定のＣＲＩの一部に対応する前記ＣＳＩを送信することを特徴とする請求項１５に記載の方法。
【請求項１７】
前記選択された一以上の所定のＣＲＩの一部は１つであることを特徴とする請求項１６に記載の方法。
【請求項１８】
前記送信ステップは、前記選択された一以上の所定のＣＲＩの数を示すＣＲＩランクを送信することを特徴とする請求項１４に記載の方法。